【手続補正書】
【提出日】平成24年4月2日(2012.4.2)
【手続補正１】
【補正対象書類名】特許請求の範囲
【補正対象項目名】全文
【補正方法】変更
【補正の内容】
【特許請求の範囲】
【請求項１】
装置であって、
１つ以上の読取ヘッドを介して磁気媒体からデータを読み取るように構成された１つ以上の読取ヘッドセル回路であって、前記データが増幅されたリードバック信号で送信されることを特徴とする読取ヘッドセル回路と、
１つ以上の書込ヘッドを介して磁気媒体にデータを書き込むように構成された１つ以上の書込ヘッドセル回路と、
前記１つ以上の読取ヘッドセル回路と前記１つ以上の書込ヘッドセル回路との間に連結されたループバックチャンネルであって、前記ループバックチャンネルは、前記１つ以上の読取ヘッドセル回路に接続されたループバック読取セルと、前記ループバック読取セル及び前記装置の書込パスに接続されたループバックインジェクション及び利得制御回路と、を備えることを特徴とするループバックチャンネルと、
を備える装置。
【請求項２】
前記ループバックインジェクション及び利得制御回路は、
前記ループバック読取セルに接続された変動振幅電流スイッチと、
前記変動振幅電流スイッチと前記１つ以上の書込ヘッドセル回路に接続された選択セルと、
を備えることを特徴とする請求項１に記載の装置。
【請求項３】
前記ループバックチャンネルは、前記選択セルと前記１つ以上の書込ヘッドセル回路に接続されたループバック書込セルを更に備えることを特徴とする請求項２に記載の装置。
【請求項４】
前記変動振幅電流スイッチは、電流ルーティングロングテールペアを備えることを特徴とする請求項２に記載の装置。
【請求項５】
前記ループバックチャンネルは、前記ループバック読取セルのために共通モードグランドを提供し、前記１つ以上の読取ヘッドセル回路に送信される前のループバックセルチャンネルの出力を零調するように構成された演算相互コンダクタンスアンプのペアを更に備えることを特徴とする請求項１に記載の装置。
【請求項６】
前記ループバックインジェクションと前記利得制御回路は、相補型バイポーラ折り返しカスコードを備えることを特徴とする請求項１に記載の装置。
【請求項７】
装置であって、
磁気媒体からデータを読み取るように構成された１つ以上の読取回路と、
磁気媒体にデータを書き込むように構成された１つ以上の書込回路と、
前記１つ以上の読取回路と前記１つ以上の書込回路との間に連結されたループバックチャンネルであって、前記ループバックチャンネルは、相補型シリコンゲルマニウムＢｉＣＭＯＳプロセスを用いて実現され、前記１つ以上の読取ヘッドセル回路に接続されたループバック読取セルと、前記ループバック読取セル及び前記装置の書込パスに接続されたループバックインジェクション及び利得制御回路と、を備えることを特徴とするループバックチャンネルと、
を備える装置。
【請求項８】
前記ループバックチャンネルは、２周波数フライ高測定のために有効にされ、通常の読取書込動作中に無効にされることを特徴とする請求項１に記載の装置。
【請求項９】
前記１つ以上の読取ヘッドセル回路と前記１つ以上の書込ヘッドセル回路は、前記２周波数フライ高測定中に無効にされることを特徴とする請求項８に記載の装置。
【請求項１０】
磁気記憶媒体の予め記録されたキャリブレーション領域を読み取りながらプレアンプの出力における２つの周波数振幅を測定するステップと、
前記プレアンプのループバックモードを有効にし、前記プレアンプの書込データラインに合成２周波数シーケンスを導入するステップと、
前記合成２周波数シーケンスが前記書込データラインに導入されているとき、前記プレアンプの出力における２つの周波数の振幅を記録するステップと、
（ｉ）予め記録されたキャリブレーション領域を読み取りながら測定された振幅と、（ｉｉ）ループバックモードで記録された振幅と、（ｉｉｉ）所定の基準ループバック値と、を用いて補正された再生振幅を計算するステップと、
を備える方法。
【請求項１１】
前記補正された再生振幅とウォーレススペーシングロス方程式とを用いて、所定のセットポイントフライ高に関連するフライ高エラーを計算するステップを更に備えることを特徴とする請求項１０に記載の方法。
【請求項１２】
前記所定の基準ループバック値は、前記磁気記憶媒体を備えるディスクファイルのメモリに格納されることを特徴とする請求項１０に記載の方法。
【請求項１３】
前記所定のセットポイントにフライ高を管理するために、ヒータドライバ素子にセットポイントに関連する前記フライ高エラーの補正され基準化されたバージョンを適用するステップを更に備えることを特徴とする請求項１０に記載の方法。
【請求項１４】
請求項１０のステップを２回以上繰り返すステップを更に備えることを特徴とする請求項１３に記載の方法。
【請求項１５】
前記所定のループバック基準値は、
前記磁気記憶媒体の予め記録されたキャリブレーション領域上に読取ヘッドを移動させ、
タッチダウンにアプローチするように前記ヘッドを制御し、その後、前記所定のセットポイントフライ高に前記ヘッドを後退させ、
前記所定のセットポイントフライ高で、前記プレアンプの前記出力における２つの周波数の２つの振幅を測定し、前記測定された振幅を永続的に格納し、
前記プレアンプのループバックモードを有効にし、合成２周波数シーケンスを前記プレアンプの前記書込データラインに導入し、
前記合成２周波数シーケンスが前記プレアンプの前記書込データラインに導入されているとき、前記プレアンプの前記出力における２つの周波数の振幅を記録し、
前記記録された振幅を前記所定のループバック基準値として格納することによって工場で決定されることを特徴とする請求項１２に記載の方法。
【請求項１６】
前記所定の値が公称の環境で測定されることを特徴とする請求項１５に記載の方法。
【請求項１７】
タッチダウンは、トラックフォローイング位置誤差信号に重ね合わされた振動によって、又は補助音響若しくは熱センサによって検出されることを特徴とする請求項１５に記載の方法。
【請求項１８】
装置であって、
磁気媒体からデータを読み取るように構成された１つ以上の読取回路と、
磁気媒体にデータを書き込むように構成された１つ以上の書込回路と、
前記１つ以上の読取回路と前記１つ以上の書込回路との間に連結されたループバックチャンネルであって、前記ループバックチャンネルは、前記１つ以上の読取回路に接続されたループバック読取セルと、前記ループバック読取セルと前記装置の書込パスに接続されたループバックインジェクション及び利得制御回路と、を備え、前記ループバックインジェクション及び利得制御回路は、相補型バイポーラ折り返しカスコード回路を備えることを特徴とするループバックチャンネルと、
を備える装置。
【請求項１９】
磁気媒体からデータを読み取るように構成された１つ以上の読取回路と、
磁気媒体にデータを書き込むように構成された１つ以上の書込回路と、
前記１つ以上の読取回路と前記１つ以上の書込回路との間に連結されたループバックチャンネルであって、前記ループバックチャンネルは、前記１つ以上の読取回路に接続されたループバック読取セルと、前記ループバック読取セルのために共通モードグランドを提供し、前記１つ以上の読取回路に送信する前の前記ループバックチャンネルの出力を零調するように構成された演算相互コンダクタンスアンプのペアと、を備えることを特徴とするループバックチャンネルと、
を備える装置。
【手続補正２】
【補正対象書類名】明細書
【補正対象項目名】００３９
【補正方法】変更
【補正の内容】
【００３９】
図８を参照すると、図７のループバックブロック１３４の実施の形態の一例を図示する図が表される。図８に表される回路は、一般に本発明による実施の形態の一例を図示する。また、本明細書に包含される教示を読む当業者に明らかであろうように、交番の実現も可能である。一例では、相補型シリコンゲルマニウムＢｉＣＭＯＳプロセス（バイポーラ接合トランジスタと相補型金属酸化膜半導体の技術の集積化）の利用が好適である。しかしながら、他のプロセス技術が、本発明の意図した範囲から外れることなくループバックブロック１３４を実現するために用いられても良い。一例では、ループバックブロック１７４は、相補型バイポーラ折り返しカスコード（complementary-bipolar folded-cascode）を用いて実現されるであろう。ループバックインジェクション及び利得制御ブロック１７４は、一般に、増加した伝搬遅延の不確実性がカスケードされた回路を減らすために、セレクタブロック１６４及び変動振幅電流スイッチブロック１６２の機能をマージする。